(57)【特許請求の範囲】
【請求項１】
少なくとも一面に開口を有する略箱体状の絶縁性のボディと、このボディの前記開口を閉塞する絶縁性のカバーと、前記ボディおよび前記カバーの内側に収納された導電体とを備え、前記導電体と絶縁距離をおいて取付ねじを挿通させる取付ねじ部を前記ボディおよび前記カバーの各々に設けた電気器具において、前記取付ねじ部は、前記ボディおよび前記カバーのうち、取付面側に位置するものに相対向方向に突出する外筒部を設け、前記取付面に対向するものに前記外筒部に対向して前記外筒部の上端に載りかつ前記取付ねじが挿入される貫通孔付き取付部ボスを設け、前記取付部ボスの先端より前記貫通孔に連通するように突出して前記外筒部に嵌合する内筒部を突設し、前記貫通孔の外端に前記取付ねじの頭部が嵌まる凹部を形成し、前記外筒部の底部に前記取付ねじの先端が挿通するねじ挿通孔を形成した電気器具。
【発明の詳細な説明】
【０００１】
【発明の属する技術分野】
この発明は、ランプソケットなどの電気器具に関するものである。
【０００２】
【従来の技術】
第１の従来例を図５および図６に示す。すなわち、ランプソケットは、少なくとも一面に開口を有する略箱体状の絶縁性のボディ１００と、このボディ１００の開口を閉塞する絶縁性のカバー１０１と、ボディ１００およびカバー１０１の内側に収納された導電体１０２とを備え、導電体１０２と絶縁距離をおいて取付ねじ１０３を挿通させる取付ねじ部１０４，１０５をボディ１００およびカバー１０１の各々に設けた電気器具において、取付ねじ部１０４，１０５は、ボディ１００およびカバー１０１に取付部ボスを設けたものであり、取付部ボスの先端を対面接触し、各々のねじ挿通孔１０６，１０７を整合し、これらに取付ねじ１０３を挿通し、取付板１０８に形成したねじ孔１０９にねじ込んでいる。
【０００３】
第２の従来例を図７に示すが、第１の従来例と異なる点は、ボディ１００の取付ねじ部１０４がねじ挿通孔１０７を兼ねた孔により形成され、カバー１０１の取付ねじ部１０５が取付ねじ部１０４に嵌合する嵌合突部１１０を設けた取付部ボスにより形成されていることである。
第３の従来例を図８に示すが、第１の従来例と異なる点は、ボディ１００の取付ねじ部１０４がねじ挿通孔１０７を兼ねた孔により形成され、カバー１０１の取付ねじ部１０５がボディ１００の底面に接触する取付部ボスにより形成されていることである。
【０００４】
【発明が解決しようとする課題】
第１の従来例は、導電体１０２と取付ねじ１０３との絶縁距離Ｌ3 ＝（取付部ボスの直径−ねじ挿通孔の直径）／２である。
第２の従来例は、導電体１０２と取付板１０８との絶縁距離＝取付部ボスの外周から嵌合突部１１０までの径方向長さＬ4 ＋ボディ１００の厚さＬ5 である。
【０００５】
第３の従来例の絶縁距離Ｌ6 は第１の従来例と同様である。
これらの従来例では、電気器具を小型化しようとすると、内部の導電体１０２と取付ねじ１０３の間隔も狭くなる。一方蛍光灯の場合には、点灯を確実にするため印加電圧が高くなる傾向にある。このため、ランプソケットなどの電気器具を小型化すると絶縁距離が不足することがあった。
【０００６】
したがって、この発明の目的は、小型化しても絶縁距離を確保することができる電気器具を提供することである。
【０００７】
【課題を解決するための手段】
請求項１記載の電気器具は、少なくとも一面に開口を有する略箱体状の絶縁性のボディと、このボディの前記開口を閉塞する絶縁性のカバーと、前記ボディおよび前記カバーの内側に収納された導電体とを備え、前記導電体と絶縁距離をおいて取付ねじを挿通させる取付ねじ部を前記ボディおよび前記カバーの各々に設けた電気器具において、前記取付ねじ部は、前記ボディおよび前記カバーのうち、取付面側に位置するものに相対向方向に突出する外筒部を設け、前記取付面に対向するものに前記外筒部に対向して前記外筒部の上端に載りかつ前記取付ねじが挿入される貫通孔付き取付部ボスを設け、前記取付部ボスの先端より前記貫通孔に連通するように突出して前記外筒部に嵌合する内筒部を突設し、前記貫通孔の外端に前記取付ねじの頭部が嵌まる凹部を形成し、前記外筒部の底部に前記取付ねじの先端が挿通するねじ挿通孔を形成したものである。
【０００８】
請求項１記載の電気器具によれば、取付ねじ部の外筒部と内筒部の嵌合により、従来例と比較して、外筒部の高さ分だけ絶縁距離が長くなるので、取付ねじ部が小さくなっても絶縁距離が確保できる。また外筒部と内筒部の嵌合により、ボディとカバーの相互の中心ずれを少なくすることができるので、取付ねじを通す孔を小さくすることも可能である。
【０００９】
【発明の実施の形態】
この発明の一実施の形態を図１ないし図４により説明する。すなわち、この電気器具であるランプソケットは、ボディ１と、カバー２と、導電体３とを有する。ボディ１は，少なくとも一面に開口を有する絶縁性の略箱体状である。実施の形態は背板１４の外面が取付板１３に取付けるための取付面となるものであり、ボディ１の一側縁は半円弧状に形成され、開口を形成する周壁１５は背板１４の若干内側に設けられ、半円弧状の側縁部の中央付近に壁開口４を形成している。またボディ１の背板１４の中央に筒部５を立設しており、筒部５はランプピンを径方向に挿通するため壁開口４に向いた凹部１６を形成し、かつ先端の外周に周溝１７を形成している。また筒部５の壁開口４と反対側の周壁１５に取付板１３に取付けるための取付ねじ部６を形成している。この取付ねじ部６は導電体３と絶縁距離をおいて取付ねじ７を挿通させるものであり、カバー２に対向する方向に突出する外筒部８を設け、外筒部８の底部にねじ挿通孔１８を形成している。外筒部８は略円筒状に形成している。９は速結端子位置決め部、１０は導電体位置決め溝、１１は端子接続孔、１２は電線解錠孔、２０はカバー引掛突起である。
【００１０】
カバー２も絶縁性であり、ボディ１の開口を閉塞するもので、ボディ１の取付ねじ部６に対向する取付ねじ部２１を設けている。実施の形態では、ボディ１の周壁１５に外嵌してボディ１の背板１４に載る周壁２２を有する略箱形であり、筒部５に対応する位置に周縁部が段になった回転体受け穴２３を形成し、壁開口４に嵌合する係合部２４にランプピン挿通溝２５を形成している。また取付ねじ部２１は外筒部８の上端に載る取付部ボス２６と取付部ボス２６の先端より突出して外筒部８に嵌合する略円筒状の内筒部２７とを有する。取付部ボス２６の外面はねじ頭２９を沈めるための凹部２８を形成しこの凹部２８の底部を内筒部２７に連通している。取付ねじ３０は内筒部２７およびねじ挿通孔１８を通る。またカバー２はカバー引掛突起２０に嵌合する凹部（図示せず）を有する。
【００１１】
回転体３４は、回転体受け穴２３を塞ぐ円板状であり、内面に筒部５に嵌合する嵌合筒部３５を有しその内周面に、周溝１７に係止する内つば３６を設け、また前面の直径方向に形成されたランプピン挿通スリット３７を形成している。回転体３４の嵌合筒部３５を回転体受け穴２３に挿入し筒部５に嵌合すると、内つば３６が周溝１７に回転自在に係合し、回転体３４の周縁部が回転体受け穴２３の縁部の段に係合する。３１は電線接続孔１１に整合する電線挿入孔、３２は電線解錠孔１２に整合する電線解錠用孔、３８は電線接続確認孔である。
【００１２】
導電体３はボディ１およびカバー２の内側に収納されている。実施の形態では導電性板ばねを用いたものであり、一端に速結端子部４０を形成し、速結端子位置決め部９に収納され、他端４１は溝１０に係止している。また中間部が回転体３４の嵌合筒部３４に弾接するともに、この中間部にランプピン係合凹部４２をコ字形に段曲げしている。
【００１３】
図１はカバー２をボディ１に被せ、取付板１３にボディ１を載せて取付ねじ３０を内筒部２７およびねじ挿通孔１８に通し、取付板１３に形成したねじ孔１９に螺合して取付けている。直管蛍光ランプのランプピン（図示せず）を装着するときは、図４に示すようにランプピン挿通溝２５を通してランプピン挿通スリット３７に通し、蛍光ランプの端部を回転体３４の中心に合わせて約９０度回転する。これにより回転体３４がともに回転し、ランプピンが筒部５の外周に回動し、導電体３のランプピン係合凹部４２に弾性係止し、接続状態となり給電可能となる。
【００１４】
この実施の形態によれば、取付ねじ部６，２１の外筒部８と内筒部２７の嵌合により、従来例と比較して、外筒部８の高さ分だけ絶縁距離が長くなる。すなわち、導電体３と取付ねじ３０との間の絶縁距離は絶縁距離Ｌ1 と絶縁距離Ｌ2 の和である。絶縁距離Ｌ1 ＝（取付部ボス２６の直径−内筒部２７の内径）／２である。絶縁距離Ｌ2 は外筒部８の高さである。
【００１５】
したがって、取付ねじ部６，２１が小さくなっても絶縁距離が確保できる。また外筒部８と内筒部２７の嵌合により、ボディ１とカバー２の相互の中心ずれを少なくすることができるので、取付ねじ３０を通すねじ挿通１８および内筒部２７の内径を小さくすることも可能である。
また略円筒の外筒部８と内筒部２７に勾配を付けてしまりばめとすることにより、挿入位置ではがたつきをもたせて挿入容易にしてもしっかり結合することができるとともに、取付ねじ部から内部へ水が浸入することがなくなるかもしくは微量にできるので、水を介して導電体３から取付ねじ３０に漏電することを防止または起こりにくくすることができる。
【００１６】
さらに回転体３４も筒部５に嵌合筒部３５が嵌合して２重構造になっているので回転体３４の外部に対する絶縁確保が容易であり、またランプピンを位置決めするランプピン係合凹部４２を導電体３の中間部にコ字形に折曲しているためランプピンの接続状態が確実に位置決めされる。
なお、カバー２側を取付面とし、外筒部５をカバー２に形成し、内筒部２７をボディ１に形成してもよい。
【００１７】
【発明の効果】
請求項１記載の電気器具によれば、取付ねじ部の外筒部と内筒部の嵌合により、従来例と比較して、外筒部の高さ分だけ絶縁距離が長くなるので、取付ねじ部が小さくなっても絶縁距離が確保できる。また外筒部と内筒部の嵌合により、ボディとカバーの相互の中心ずれを少なくすることができるので、取付ねじを通す孔を小さくすることも可能である。
【図面の簡単な説明】
【図１】この発明の一実施の形態の取付ねじ部の断面図である。
【図２】その分解斜視図である。
【図３】取付ねじ部を示す部分破断分解斜視図である。
【図４】カバーをボディに閉じた状態の斜視図である。
【図５】第１の従来例の分解斜視図である。
【図６】その取付ねじ部の断面図である。
【図７】第２の従来例の取付ねじ部の断面図である。
【図８】第３の従来例の取付ねじ部の断面図である。
【符号の説明】
１    ボディ
２    カバー
３    導電体
６，２１  取付ねじ部
８    外筒部
２７    内筒部
３０    取付ねじ
【図１】
0003667943.tif 000002
【図２】
0003667943.tif 000003
【図３】
0003667943.tif 000004
【図４】
0003667943.tif 000005
【図５】
0003667943.tif 000006
【図６】
0003667943.tif 000007
【図７】
0003667943.tif 000008
【図８】
0003667943.tif 000009